【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
外部装置とネットワークを介して接続するための第１の情報と、前記外部装置の無線ダイレクト接続機能を利用可能であるか否かを示す第２の情報とを、近接無線通信を介して取得する取得手段と、
前記取得した第１の情報を用いて、前記外部装置と前記ネットワークを介した接続を試みる接続手段と、
前記接続手段において前記外部装置と前記ネットワークを介した接続に失敗し、かつ、前記第２の情報として前記外部装置の無線ダイレクト接続機能を利用可能であることを示す情報を前記取得手段で取得した場合は、前記外部装置の無線ダイレクト接続機能の開始をユーザに促す第１のメッセージを表示し、
前記接続手段において前記外部装置と前記ネットワークを介した接続に失敗し、かつ、前記第２の情報として前記外部装置の無線ダイレクト接続機能を利用可能でないことを示す情報を前記取得手段で取得した場合は、前記外部装置との接続に失敗したことを示す第２のメッセージを表示する表示制御手段と、
を備えることを特徴とする携帯端末。
【請求項２】
前記接続手段において前記外部装置と前記ネットワークを介した接続に失敗し、かつ、前記第２の情報として前記外部装置の無線ダイレクト接続機能を利用可能でないことを示す情報を前記取得手段で取得していた場合において、前記表示制御手段により表示される前記第２のメッセージには、前記外部装置の無線ダイレクト接続機能の開始をユーザに促すメッセージが含まれない、ことを特徴とする請求項１に記載の携帯端末。
【請求項３】
前記取得手段は、近接無線通信用のタグを読み取ることにより、前記タグに格納されている前記第１の情報と前記第２の情報とを取得する、ことを特徴とする請求項１または２に記載の携帯端末。
【請求項４】
前記近接無線通信はＮＦＣであり、前記タグはＮＦＣタグである、ことを特徴とする請求項３に記載の携帯端末。
【請求項５】
前記タグに格納されている前記第１の情報と前記第２の情報は、前記外部装置によって格納された情報である、ことを特徴とする請求項３または４に記載の携帯端末。
【請求項６】
外部装置とネットワークを介して接続するための第１の情報と、前記外部装置の無線ダイレクト接続機能を利用可能であるか否かを示す第２の情報とを、近接無線通信を介して取得する取得手段と、
前記取得した第１の情報を用いて、前記外部装置と前記ネットワークを介した接続を試みる接続手段と、
前記接続手段において前記外部装置と前記ネットワークを介した接続に失敗し、かつ、前記第２の情報として前記外部装置の無線ダイレクト接続機能を利用可能であることを示す情報を前記取得手段で取得した場合は、前記外部装置に無線ダイレクト接続機能の開始を指示する指示手段と、
前記接続手段において前記外部装置と前記ネットワークを介した接続に失敗し、かつ、前記第２の情報として前記外部装置の無線ダイレクト接続機能を利用可能でないことを示す情報を前記取得手段で取得した場合は、前記外部装置との接続に失敗したことを示すメッセージを表示する表示制御手段と、
を備えることを特徴とする携帯端末。
【請求項７】
前記近接無線通信は、Ｂｌｕｅｔｏｏｔｈ  Ｌｏｗ  Ｅｎｅｒｇｙによる無線通信であることを特徴とする請求項６に記載の携帯端末。
【請求項８】
前記外部装置は印刷装置であることを特徴とする請求項１乃至７のいずれか１項に記載の携帯端末。
【請求項９】
携帯端末が実行する情報処理方法であって、
外部装置とネットワークを介して接続するための第１の情報と、前記外部装置の無線ダイレクト接続機能を利用可能であるか否かを示す第２の情報とを、近接無線通信を介して取得する取得ステップと、
前記取得した第１の情報を用いて、前記外部装置と前記ネットワークを介した接続を試みる接続ステップと、
前記接続ステップにおいて前記外部装置と前記ネットワークを介した接続に失敗し、かつ、前記第２の情報として前記外部装置の無線ダイレクト接続機能を利用可能であることを示す情報を前記取得ステップで取得した場合は、前記外部装置の無線ダイレクト接続機能の開始をユーザに促す第１のメッセージを表示し、
前記接続ステップにおいて前記外部装置と前記ネットワークを介した接続に失敗し、かつ、前記第２の情報として前記外部装置の無線ダイレクト接続機能を利用可能でないことを示す情報を前記取得ステップで取得した場合は、前記外部装置との接続に失敗したことを示す第２のメッセージを表示する表示制御ステップと、
を含むことを特徴とする情報処理方法。
【請求項１０】
携帯端末が実行する情報処理方法であって、
外部装置とネットワークを介して接続するための第１の情報と、前記外部装置の無線ダイレクト接続機能を利用可能であるか否かを示す第２の情報とを、近接無線通信を介して取得する取得ステップと、
前記取得した第１の情報を用いて、前記外部装置と前記ネットワークを介した接続を試みる接続ステップと、
前記接続ステップにおいて前記外部装置と前記ネットワークを介した接続に失敗し、かつ、前記第２の情報として前記外部装置の無線ダイレクト接続機能を利用可能であることを示す情報を前記取得ステップで取得した場合は、前記外部装置に無線ダイレクト接続機能の開始を指示する指示ステップと、
前記接続ステップにおいて前記外部装置と前記ネットワークを介した接続に失敗し、かつ、前記第２の情報として前記外部装置の無線ダイレクト接続機能を利用可能でないことを示す情報を前記取得ステップで取得した場合は、前記外部装置との接続に失敗したことを示すメッセージを表示する表示制御ステップと、
を含むことを特徴とする情報処理方法。
【請求項１１】
請求項１乃至８のいずれか１項に記載の携帯端末の各手段として、携帯端末のコンピュータを機能させるためのプログラム。
【手続補正２】
【補正対象書類名】明細書
【補正対象項目名】発明の名称
【補正方法】変更
【補正の内容】
【発明の名称】携帯端末、情報処理方法及びプログラム
【手続補正３】
【補正対象書類名】明細書
【補正対象項目名】０００１
【補正方法】変更
【補正の内容】
【０００１】
本発明は、携帯端末、情報処理方法及びプログラムに関する。
【手続補正４】
【補正対象書類名】明細書
【補正対象項目名】０００５
【補正方法】変更
【補正の内容】
【０００５】
本発明は、外部装置とネットワークを介して接続するための第１の情報と、前記外部装置の無線ダイレクト接続機能を利用可能であるか否かを示す第２の情報とを、近接無線通信を介して取得する取得手段と、前記取得した第１の情報を用いて、前記外部装置と前記ネットワークを介した接続を試みる接続手段と、前記接続手段において前記外部装置と前記ネットワークを介した接続に失敗し、かつ、前記第２の情報として前記外部装置の無線ダイレクト接続機能を利用可能であることを示す情報を前記取得手段で取得した場合は、前記外部装置の無線ダイレクト接続機能の開始をユーザに促す第１のメッセージを表示し、前記接続手段において前記外部装置と前記ネットワークを介した接続に失敗し、かつ、前記第２の情報として前記外部装置の無線ダイレクト接続機能を利用可能でないことを示す情報を前記取得手段で取得した場合は、前記外部装置との接続に失敗したことを示す第２のメッセージを表示する表示制御手段と、を備える。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】